(57)【要約】【課題】印刷者が意図した印刷物であった場合、その場にある画像処理装置の操作部から残り部数の印刷を継続指示し、かつ、分散された他の画像処理装置に対してもその場から印刷の起動を指示することである。【解決手段】メモリ３２４に保持される画像データを印刷部により１部印刷させた後、メモリ３２４に保持される画像データを指定される残部数分プリンタ部２より印刷させ、該残部数分の印刷後、分散印刷情報に基づき、他の画像処理装置に印刷開始をＣＰＵ３２３が指示して、第２の画像処理装置の保持手段に保持されている印刷ジョブを前記分散印刷情報で指定される部数分印刷部より印刷させる構成を特徴とする。【選択図】      図３
2004157832.tif 000002
【特許請求の範囲】
【請求項１】
印刷命令または画像データとからなる印刷ジョブを処理するジョブ処理方法であって、
第１の画像処理装置と第２の画像処理装置に前記印刷ジョブを送信する送信ステップと、
前記第１の画像処理装置と前記第２の画像処理装置のそれぞれにおいて前記印刷ジョブを保持する保持ステップと、
前記第１の画像処理装置において、前記印刷ジョブに基づいて少なくとも１部を印刷させる第１の印刷制御ステップと、
前記第１の印刷制御ステップにより少なくとも１部が印刷された後、前記第２の画像処理装置に印刷指示を送信する指示送信ステップと、
前記第１の印刷制御ステップにより少なくとも１部が印刷された後、前記第１の画像処理装置において、前記印刷ジョブに基づいて残り部数を印刷させ、前記第２の画像処理装置において、前記印刷ジョブに基づいて指定された部数を印刷させる第２の印刷制御ステップと、
を有することを特徴とするジョブ処理方法。
【発明の詳細な説明】
【０００１】
【発明の属する技術分野】
本発明は、情報処理装置からの印刷ジョブを他の画像処理装置と並列に分散処理可能な画像処理装置および該画像処理装置を複数備えてなる画像処理システムの制御に関するものである。
【０００２】
【従来の技術】
従来、ホストコンピュータから、複数の画像処理装置へ印刷データを送信し、複数の画像処理装置で分散して印刷を行う、分散印刷システムが知られている。たとえば、ある印刷データを１０部印刷したい場合、ホストコンピュータから、片方の画像処理装置に５部、もう片方の画像処理装置へも５部印刷するよう指令した場合、短時間で目的の印刷物を得ることができる。また、分散する画像処理装置の台数が増えれば、その分、短時間で目的の印刷物を得ることができる。
【０００３】
【発明が解決しようとする課題】
しかしながら、上述した従来技術においては下記のような問題があった。即ち、ホストコンピュータから複数の画像処理装置へ印刷データを送信した後、画像処理装置の前で印刷中の印刷物を見た場合、印刷者が意図していない印刷物と分かったら、即座にその画像処理装置の操作部から印刷ジョブのキャンセルを行わなくてはならなかった。
【０００４】
さらに、分散された他のすべての画像処理装置まで直ちに移動し、各画像処理装置の印刷ジョブをすべてキャンセルしなければならなかった。分散した画像処理装置の数が多いほど、無駄な印刷物の生成、各画像処理装置への移動とキャンセル操作の手間が発生するなどの不具合があった。また、印刷中、ホストコンピュータから印刷データが流れつづけていれば、ホストコンピュータへも移動し、キャンセル操作をする必要があり、分散出力されたジョブを回収する際に、ユーザが煩雑な判別確認処理が必要となり、利便性が損なわれてしまう等の問題点があった。
【０００５】
また、このような問題は、分散出力する台数が多くなるほどさらに厄介な負担をユーザに強いる結果となり、その改善が切望されている。
【０００６】
本発明は、上記の問題点を解決するためになされたもので、本発明の目的は、印刷命令または画像データとからなる印刷ジョブを処理するジョブ処理方法において、第１の画像処理装置と第２の画像処理装置のそれぞれにおいて前印刷ジョブを保持し、第１の画像処理装置において、印刷ジョブに基づいて少なくとも１部を印刷させる際に、少なくとも１部が印刷された後、第２の画像処理装置に印刷指示を送信して、少なくとも１部が印刷された後、第１の画像処理装置において、前記印刷ジョブに基づいて残り部数を印刷させ、第２の画像処理装置において、前記印刷ジョブに基づいて指定された部数を印刷させることにより、１部印刷されたものが、印刷者が意図したとおりかを目視確認して、１部印刷されたものが、印刷者が意図した印刷物であった場合、その場にある画像形成装置の操作部から、その画像形成装置において残り部数の印刷を継続指示し、かつ、分散された他の画像形成装置に対してもその場から印刷の起動を指示することができ、意図した印刷物を確実に得ることができ、かつ利便性に優れた画像処理環境を自在に整備することができるジョブ処理方法を提供することである。
【０００７】
【課題を解決するための手段】
本発明は、印刷命令または画像データとからなる印刷ジョブを処理するジョブ処理方法であって、第１の画像処理装置と第２の画像処理装置に前記印刷ジョブを送信する送信ステップと、前記第１の画像処理装置と前記第２の画像処理装置のそれぞれにおいて前記印刷ジョブを保持する保持ステップと、前記第１の画像処理装置において、前記印刷ジョブに基づいて少なくとも１部を印刷させる第１の印刷制御ステップと、前記第１の印刷制御ステップにより少なくとも１部が印刷された後、前記第２の画像処理装置に印刷指示を送信する指示送信ステップと、前記第１の印刷制御ステップにより少なくとも１部が印刷された後、前記第１の画像処理装置において、前記印刷ジョブに基づいて残り部数を印刷させ、前記第２の画像処理装置において、前記印刷ジョブに基づいて指定された部数を印刷させる第２の印刷制御ステップとを有することを特徴とする。
【０００８】
【発明の実施の形態】
〔第１実施形態〕
図１は、本発明に係る画像処理装置を適用可能な画像処理システムの一例を説明するブロック図であり、画像処理装置と周辺機器とが公衆回線網またはネットワークを介して通信可能な画像処理システム例に対応する。
【０００９】
図１において、画像処理装置９は、リーダ部１と、プリンタ部２と、コントローラ部３、またその中に、モデム通信部４、ネットワーク処理部７、ＰＤＬ展開部８、コア部１０を有する。
【００１０】
リーダ部１は、画像処理装置（プリンタ部）にセットされた原稿の画像を読み取り、原稿画像に応じた画像データを、コア部１０を通じて、プリンタ部２へ出力する。プリンタ部２は、リーダ部１からの画像データに応じた画像を記録紙上に記録する。
【００１１】
コンピュータ１１はパーソナルコンピュータまたはワークステーション（ＰＣ／ＷＳ）であり、例えば、そこからＰＤＬプリントデータを、ネットワーク１６、ネットワーク処理部７を通じて、コア部１０に流し、ＰＤＬ展開部８でＰＤＬデータをプリンタ部２で記録できる画像データに展開し、コア部１０を通じて、プリンタ部２でプリントする。
【００１２】
１４は他のファックス装置であり、例えばリーダ部１で読み取った原稿画像を、コア部１０、モデム通信部４を経由し、公衆回線網１５を通じてファックス送信する。あるいは、他のファックス装置からの画像データを、公衆回線網１５、モデム通信部４、コア部１０を通じて受信し、プリンタ部２で受信画像をプリントする。
【００１３】
コンピュータ１２はパーソナルコンピュータまたはワークステーション（ＰＣ／ＷＳ）で、本発明のホストコンピュータに該当する。
【００１４】
画像処理装置１３は、分散印刷を行うために使用され、内部構成は、画像処理装置９と全く同じである。
【００１５】
例えばホストコンピュータ１１から印刷命令、または画像データからなる印刷ジョブを画像処理装置９、画像処理装置１３に送信し、分散印刷を行う。なお、図１に示す構成は一例であり、本発明の適用可能なシステムが図示のシステム構成に限定されるものではない。なお、第１の画像処理装置としての画像処理装置９と第２の画像処理装置としての画像処理装置１３とは、同等の機能処理を行うためのハード資源を備えているものとして、以下、画像処理装置９の構成の説明により、画像処理装置１３側のハード構成の説明は省略するものとする。
【００１６】
図２は、図１に示したプリンタ部２の構成を説明する概略断面図である。
【００１７】
図２において、プリンタ部２は、画像処理装置本体（複写装置本体）１００、デッキ１５０、循環式自動原稿送り装置（ＲＤＦ）１８０から大略構成されている。
【００１８】
画像処理装置本体１００は、プラテンガラス１０１、スキャナ１０２、露光ランプ１０３、走査ミラー１０４，１０５，１０６、レンズ１０８、ＣＣＤセンサ（イメージセンサ部）１０９、感光体ドラム１１０、１次帯電器１１２、前露光ランプ１１４、クリーニング装置１１６、転写帯電器１１８、露光制御部１２０、現像器１２１、転写ベルト１３０、上段カセット１３１、下段カセット１３２、ピックアップローラ１３３，１３４、給紙ローラ１３５，１３６、レジストローラ１３７、吸着帯電器１３８、転写ベルトローラ１７０、定着前帯電器１３９，１４０、定着器１４１、排紙ローラ１４２、排紙フラッパ１５４、反転パス１５５、再給紙トレイ１５６、多重フラッパ１５７、搬送パス１５８、給紙ローラ１５９、経路１６０、排出ローラ１６１、第１の送りローラ１６２、第２の送りローラ１６２ａ、反転ローラ１６３を備えている。
【００１９】
上記構成を詳述すると、図１におけるリーダ部１は、図２のプラテンガラス１０１〜ＣＣＤセンサ１０９に対応し、上記図１におけるプリンタ部２は、図２の感光体ドラム１１０〜反転ローラ１６３に対応する。
【００２０】
まず、リーダ部１について、詳述する。
【００２１】
プラテンガラス１０１は、原稿載置台である。スキャナ１０２は、原稿照明ランプ１０３、走査ミラー１０４等で構成される。スキャナ１０２は、不図示のモータにより所定方向に往復走査されることにより、原稿の反射光１０７を、走査ミラー１０４〜１０６を介してレンズ１０８を透過させてＣＣＤセンサ１０９に結像する。
【００２２】
ＣＣＤセンサ１０９で、電気信号に変換され、ＣＣＤセンサ１０９付近の、図示しないスキャナ画像処理部によって、Ａ／Ｄ変換、シェーディング補正が行われ、後述するコア部１０のゲートアレイ３２６を介して、メモリ３２４に、デジタル画像データとして蓄積される。
【００２３】
次にプリンタ部２について詳述する。露光制御部１２０は、レーザ、ポリゴンスキャナ等で構成されており、上記コア部１０のメモリ３２４に蓄積されたデジタル画像データをメモリから読み出し、後述するコア部１０のゲートアレイ３２６が、デジタル画像データからビデオ信号に変換し、Ｉ／Ｆ３２５を通じてプリンタ部に送る。
【００２４】
そして、そのビデオ信号に基づいて変調されたレーザ光１２９を、感光体ドラム１１０に照射する。感光体ドラム１１０の回りには、１次帯電器１１２、現像器１２１、転写帯電器１１８、クリーニング装置１１６、前露光ランプ１１４が装備されている。
【００２５】
感光体ドラム１１０を中心とした画像形成部１２６において、感光体ドラム１１０は、不図示のモータにより図中矢印方向に回転しており、１次帯電器１１２により所望の電位に帯電された後、露光制御部１２０からのレーザ光１２９が照射され、静電潜像が形成される。
【００２６】
一方、上段カセット１３１或いは下段カセット１３２からピックアップローラ１３３，１３４により給紙された転写紙は、給紙ローラ１３５，１３６により本体に送られ、レジストローラ１３７により転写ベルト１３０に給送され、可視化されたトナー像が転写帯電器１１８により転写紙に転写される。転写後の感光体ドラム１１０は、クリーニング装置１１６により残留トナーが清掃され、前露光ランプ１１４により残留電荷が消去される。転写後の転写紙は、転写ベルト１３０から分離され、定着前帯電器１３９，１４０によりトナーが再帯電され、定着器１４１に送られ加圧、加熱により定着され、排紙ローラ１４２により画像処理装置本体１００の外に排出される。
【００２７】
吸着帯電器１３８は、レジストローラ１３７から送られた転写紙を転写ベルト１３０に吸着させる。転写ベルトローラ１７０は、転写ベルト１３０の回転に用いられると同時に、吸着帯電器１３８と対になって、転写ベルト１３０に転写紙を吸着帯電させる。
【００２８】
画像処理装置本体１００には、例えば４０００枚の転写紙を収納し得るデッキ１５０が装備されている。デッキ１５０のリフタ１５１は、給紙ローラ１５２に転写紙が常に当接するように転写紙の量に応じて上昇する。また、画像処理装置本体１００には、例えば１００枚の転写紙を収容し得るマルチ手差し１５３が装備されている。
【００２９】
排紙フラッパ１５４は、両面記録側ないし多重記録側と排紙側の経路を切り替える。排紙ローラ１４２から送り出された転写紙は、この排紙フラッパ１５４により両面記録側ないし多重記録側に切り替えられる。
【００３０】
多重フラッパ１５７は、両面記録と多重記録の経路を切り替えるものであり、これを左方向に倒すことにより、反転パス１５５を介さず、直接、搬送パス１５８に転写紙を導く。給紙ローラ１５９は、経路１６０を通じて転写紙を感光体ドラム１１０側に給紙する。
【００３１】
排出ローラ１６１は、排紙フラッパ１５４の近傍に配置されて、この排紙フラッパ１５４により排出側に切り替えられた転写紙を機外に排出する。両面記録（両面複写）時には、排紙フラッパ１５４を上方に上げて、多重フラッパ１５７を右に倒し、記録（複写）済みの転写紙を反転パス１５５を介した後、多重フラッパ１５７を左に倒し、搬送パス１５８を介して裏返した状態で再給紙トレイ１５６に格納する。
【００３２】
また、多重記録（多重複写）時には、排紙フラッパ１５４を上方に上げて、多重フラッパ１５７を左に倒し、記録（複写）済みの転写紙を搬送パス１５８を介した後、再給紙トレイ１５６に格納する。再給紙トレイ１５６に格納されている転写紙が、下から１枚ずつ給紙ローラ１５９により経路１６０を介して画像処理装置本体１００のレジストローラ１３７に導かれる。
【００３３】
画像処理装置本体１００から転写紙を反転して排出する時には、排紙フラッパ１５４を上方へ上げ、多重フラッパ１５７を右方向へ倒し、記録（複写）済みの転写紙を搬送パス１５５側へ搬送し、転写紙の後端が第１の送りローラ１６２を通過した後に、反転ローラ１６３によって第２の送りローラ１６２ａ側へ搬送し、排出ローラ１６１によって転写紙を裏返して機外へ排出する。また、機外へ排出された転写紙は、フィニッシャ１９０に搬送される。
【００３４】
１９０はフィニッシャであり、画像処理装置本体１００で印刷された転写紙をスタックするものである。パス１９３は、画像処理装置本体１００で印刷された転写紙を受け取る経路である。ローラ１９７は、パス１９３から搬送された転写紙を、パス１９５あるいはパス１９６に送り出すものである。パス１９５へ送り出すには、排紙フラッパ１９４を下方に移動し、パス１９６へ送り出すには、排紙フラッパ１９４を上方に移動させる。そして、パス１９６を通った場合は、ローラ１９８によって、ビン１９２に排紙される。
【００３５】
パス１９５を通った場合は、そのままビン１９２に排紙される。例えば、コピーを行った場合は、転写紙をビン１９１に排紙し、ＰＤＬプリントを行った場合は、ビン１９２に排紙することで、ユーザの利便性が上がる。
【００３６】
図３は、図１に示したコア部１０の構成を示すブロック図である。
【００３７】
図３において、コア部１０は、インタフェース部（Ｉ／Ｆ）３２０，３２２，３２８，３２７、データ処理部３２１，３２６、ＣＰＵ３２３（各制御手段）、メモリ３２４を備えている。
【００３８】
上記構成を詳述すると、リーダ部１からの画像データは、Ｉ／Ｆ３２２を介してデータ処理部３２１へ転送される。データ処理部３２１では、画像の回転処理や変倍処理などの画像処理を行う。また、そして、データ処理部３２１へ転送された画像データは、ＣＰＵ３２３を通じて、メモリ３２４にデジタル画像データとして蓄積される。
【００３９】
また、操作部５００からの制御コマンドに応じて、ＣＰＵ３２３、データ処理部３２６、Ｉ／Ｆ３２７を通じて、プリンタ部２へ転送される。または、Ｉ／Ｆ３２０を介してモデム処理部４、ネットワーク処理部７へ転送される。
【００４０】
また、ネットワーク処理部７を介して入力された画像を表すコードデータは、Ｉ／Ｆ３２０を介して、ＣＰＵ３２３へ転送され、ＣＰＵ３２３がＰＤＬコードであると判定した場合、ＰＤＬコードをＩ／Ｆ３２０を通じて、ＰＤＬ展開部８へ転送されて、そこで、画像ビットマップデータに展開される。この画像ビットマップデータは、Ｉ／Ｆ３２０、ＣＰＵ３２３を通じて、メモリ３２４へ蓄積されていく。その後、ＣＰＵ３２３、データ処理部３２６、Ｉ／Ｆ３２７を通じて、プリンタ部２へ転送され、プリントする。
【００４１】
モデム処理部４からのファックス画像データは、Ｉ／Ｆ３２０、ＣＰＵ３２３を介して、データ処理部３２６へ転送された後、Ｉ／Ｆ３２７を介して、プリンタへ転送される。
【００４２】
ＣＰＵ３２３は、メモリ３２４に記憶されている制御プログラム、及び、Ｉ／Ｆ３２８経由で操作部５００から受けた制御コマンドに従って、上記のような制御を行う。また、メモリ３２４はＣＰＵ３２３の作業領域としても使われる。
【００４３】
このように、本画像処理装置では、画像入出力制御部３のコア部１０を中心に、原稿画像の読み取り、画像のプリント、画像の送受信、画像の保存、コンピュータからのデータの入出力などの機能を複合させた処理を行うことが可能である。
【００４４】
図４は、図１に示した操作部５００の画面構成例を示す平面図である。なお、画面はタッチパネルとなっており、それぞれ表示される機能の枠内を触れることにより、その機能が実行される。
【００４５】
図４において、コピーモードキー５２４は、複写動作を行う場合に押すキーである。そして、このコピーモードキー５２４が押されたときに、図４に示すコピーモード画面５３０を表示する。拡張機能キー５０１は、このキーを押すことによって両面複写、多重複写、移動、綴じ代の設定、枠消しの設定等のモードに入る。
【００４６】
５４０は分散印刷情報表示手段として機能するステータスラインであり、機器の状態や印刷情報を示すメッセージを表示する。本表示例は、分散印刷を実行した例を示しており、ホストコンピュータから、”ｓｕｚｕｋｉ−ｉｃｈｉｒｏ”というユーザ名で、ファイル”会議資料．ｄｏｃ”を、表示している画像処理装置で５部、他の画像処理装置である”総務課ｉＲ３３００”で５部プリントしていることを示している。
【００４７】
画像モードキー５０２は、複写画像に対して網掛け、影付け、トリミング、マスキングを行うための設定モードに入る。ユーザモードキー５０３は、モードメモリの登録、標準モード画面の設定が行える。
【００４８】
応用ズームキー５０４は、原稿のＸ方向、Ｙ方向を独立に変倍するモード、原稿サイズと複写サイズから変倍率を計算するズームプログラムのモードに入る。Ｍ１キー５０５、Ｍ２キー５０６、Ｍ３キー５０７は、それぞれに登録されたモードメモリを呼び出す際に押すキーである。
【００４９】
オプションキー５０９は、フィルムから直接複写するため、フィルムプロジェクタ等のオプション機能の設定を行うキーである。
【００５０】
ソータキー５１０は、ソート、ノンソート、グループの設定を行うキーである。原稿混載キー５１１は、原稿フィーダにＡ４サイズとＡ３サイズ、またはＢ５サイズとＢ４サイズの原稿を一緒にセットする際に押すキーである。
【００５１】
等倍キー５１２は、複写倍率を１００％にする際に押すキーである。縮小キー５１４、拡大キー５１５は、定型の縮小、拡大を行う際に押すキーである。用紙選択キー５１３は、複写用紙の選択を行う際に押すキーである。濃度キー５１８、５２０は、キー５１８を押す毎に濃く複写され、キー５２０を押す毎に薄く複写される。濃度表示５１７は、濃度キー５１８、５２０を押すと表示が左右に変化する。ＡＥキー５１９は、新聞のように地肌の濃い原稿を自動濃度調整複写するときに押すキーである。
【００５２】
ＨｉＦｉキー５２１は、写真原稿のように中間調の濃度が濃い原稿の複写の際に押すキーである。文字強調キー５２２は、文字原稿の複写で文字を際だたせたい場合に押すキーである。ガイドキー５２３は、あるキーの機能がわからないとき押すキーであり、そのキーの説明が表示される。ファックスキー５２５は、ファックスを行うときに押すキーであり、ファイルキー５２６は、ファイルデータを出力したいときに押すキーである。
【００５３】
プリンタキー５２７は、プリントの濃度を変更する、あるいは、リモートのホストコンピュータからのＰＤＬデータのプリント出力詳細情報を参照したい場合に押すキーである。
【００５４】
処理続行キー５５０は、ホストコンピュータからの印刷データについて１部だけ印刷し、画像データを保持したままとしたとき、ユーザがその印刷物を見てＯＫ、つまり意図した印刷物だったなら処理続行キー５５０を押し、たとえばその画像処理装置で５部印刷するなら残り４部を印刷する。または、他の画像処理装置でも５部印刷するなら、処理続行キー５５０を押したタイミングで、他の画像処理装置へその旨通信し、それを受けた画像処理装置は、保持している画像データについて５部印刷する。
【００５５】
処理中止キー５５１は、ホストコンピュータからの印刷データについて１部だけ印刷し、画像データを保持したままとしたとき、ユーザがその印刷物を見てＮＧ、つまり意図した印刷でなかったなら処理中止キー５５１を押し、残りの印刷部数、たとえば５部印刷する予定であったなら残り４部の印刷について中止する。または、他の画像処理装置でも５部印刷する予定だったなら、処理中止キー５５１を押したタイミングで、他の画像処理装置へその旨通信し、それを受けた画像処理装置は、保持している画像データについて予定していた印刷を中止する。
【００５６】
なお、処理続行キー５５０、処理中止キー５５１は、１部プリントが終わった時点で操作部に表示され、押下が可能となる。
【００５７】
５６０は本発明に関わる履歴キーであり、これを押下することで、印刷済みのジョブの履歴情報を表示する。たとえば、印刷ジョブの、終了時刻、ユーザ名、ファイル名、印刷部数、枚数等の情報の他に、他の機器へも分散印刷した場合、その機器名称あるいは機器の場所や、そこでの印刷部数の情報も表示する。
【００５８】
図５は、本発明に係る画像処理装置における第１のデータ処理手順の一例を示すフローチャートであり、本制御手順は、メモリ３２４に記憶されており、該手順をＣＰＵ３２３が実行することにより実現される。なお、Ｓ１０１〜Ｓ１０７は各ステップを示す。また、本処理は、図１に示す画像処理装置９（第１の画像処理装置）における制御部（コア部１０に相当）により実行される。
【００５９】
まず、ステップＳ１０１では、ホストコンピュータ（図１に示したコンピュータ１２）から印刷データが受信されるまで待っていて、印刷データを受信したら、ステップＳ１０２で、分散印刷情報を受信する。その情報として、例えば操作部に表示するための印刷データファイル名、ホストコンピュータにログインするときに入力するユーザ名、自機で５部、他機で５部印刷し、自機では１部印刷した後、印刷データを保持するなどの分散印刷情報を受信する。
【００６０】
また、他機に関して操作するため、分散印刷した他機の名称や、ＩＰアドレス等も受信する。
【００６１】
さらに、ステップＳ１０３では、受信した印刷データを、メモリ３２４に保持していく。次に、ステップＳ１０４で、受信した印刷データについて１部プリントする。
【００６２】
そして、ステップＳ１０５で、処理続行キーが押されたかを監視して、１部プリントされた印刷物をユーザが見たとき、意図した状態で印刷がなされていれば、ユーザが処理続行キー５５０を押されたことを検出したら、ステップＳ１０６で、残り部数、例えば残り４部を印刷し、自機で合計５部印刷物を完成させる。そして、ステップＳ１０７で、分散印刷情報で得られた、分散印刷対象である他の機器である画像処理装置１３へネットワーク処理部７を通じて、印刷を開始するよう送信して、リターンする。
【００６３】
図６は、本発明に係る画像処理装置における第２のデータ処理手順の一例を示すフローチャートであり、本制御手順は、メモリ３２４に記憶されており、該手順をＣＰＵ３２３が実行することにより実現される。なお、Ｓ２０１〜Ｓ２０５は各ステップを示す。また、本処理は、図１に示す画像処理装置１３（第２の画像処理装置）における制御部（画像処理装置９と同等の制御部（コア部１０）を備える）により実行される。
【００６４】
まず、ステップＳ２０１では、ホストコンピュータ（コンピュータ１２）から印刷データが受信されるまで待ち、該印刷データを受信したら、ステップＳ２０２で、分散印刷情報を受信する。その情報として、たとえば、操作部に表示するための、印刷データファイル名、ホストコンピュータにログインするときに入力するユーザ名、自機で５部、他機で５部印刷し、自機では印刷せず、印刷データを保持するなどの分散印刷情報を受信する。
【００６５】
また、他機に関する情報として、分散印刷した他機の名称や、ＩＰアドレス等も受信する。
【００６６】
次に、ステップＳ２０３で、受信した印刷データをメモリ３２４に保持していく。そして、ステップＳ２０４で、他の機器からプリント指示を受信したかを監視して、該プリント指示を受信したら、ステップＳ２０５で、メモリ３２４に保持された印刷データを、例えば５部印刷して、処理をリターンする。
【００６７】
なお、図５、図６でそれぞれ第１，第２の画像処理装置の制御を説明したが、このときホストコンピュータ１２からは、第１の画像処理装置に対し、画像データの送信と、１部印刷して、例えば残り４部を保持するよう指示し、第２の画像処理装置に対し、画像データの送信と、印刷しないで、たとえば５部、他の画像処理装置、すなわち第１の画像処理装置から印刷指示を受けたら印刷するように、指示するものとする。
【００６８】
〔第２実施形態〕
図７は、本発明に係る画像処理装置における第３のデータ処理手順の一例を示すフローチャートであり、本制御手順は、メモリ３２４に記憶されており、該手順をＣＰＵ３２３が実行することにより実現される。なお、Ｓ５０１〜Ｓ５０６は各ステップを示す。本処理は、図１に示す画像処理装置９（第１の画像処理装置）における制御部（コア部１０に相当）および図２に示す画像処理装置１３（第２の画像処理装置）における制御部（第２の画像処理装置におけるコア部１０に相当）により実行される。
【００６９】
まず、ステップＳ５０１で、ホストコンピュータ１２から印刷データが受信されるまで待ち、該印刷データを受信したら、ステップＳ５０２で、分散印刷情報を受信する。その情報として、たとえば、操作部に表示するための、印刷データファイル名、ホストコンピュータにログインするときに入力するユーザ名、自機で５部、他機で５部印刷し、自機では１部印刷した後、印刷データを保持するなどの分散印刷情報を受信する。
【００７０】
また、操作部表示のため、分散印刷した他機の名称等も受信する。
【００７１】
次に、ステップＳ５０３で、受信した印刷データを、メモリ３２４に保持していく。そして、ステップＳ５０４で、受信した印刷データについて１部プリントする。
【００７２】
そして、ユーザにより処理続行キー５５０が押下指示されか否かを監視する。この際、ユーザは、１部プリントされた印刷物をユーザが見たとき、意図した状態で印刷がなされていれば、ユーザが処理続行キー５５０を押し、ステップＳ５０６へ移る。
【００７３】
そして、ステップＳ５０６で、残り部数、例えば残り４部を印刷し、自機で合計５部印刷物を完成させ、処理をリターンする。
【００７４】
なお、図７では、第１，第２の画像処理装置の制御例を説明したが、このときホストコンピュータ１２からは、第１、第２の画像処理装置に対し、画像データの送信と、１部印刷して、例えば残り４部を保持するよう指示しているものとする。
【００７５】
〔第３実施形態〕
図８は、本発明に係る画像処理装置における第４のデータ処理手順の一例を示すフローチャートであり、本制御手順は、メモリ３２４に記憶されており、該手順をＣＰＵ３２３が実行することにより実現される。なお、Ｓ３０１〜Ｓ３０７は各ステップを示す。なお、本処理は、図１に示す画像処理装置９（第１の画像処理装置）における制御部（コア部１０に相当）により実行される。
【００７６】
まず、ステップＳ３０１で、ホストコンピュータ１２から印刷データが受信されるまで待ち、印刷データを受信したら、ステップＳ３０２で、分散印刷情報を受信する。その情報として、たとえば、操作部に表示するための、印刷データファイル名、ホストコンピュータにログインするときに入力するユーザ名、自機で５部、他機で５部印刷し、自機では１部印刷した後、印刷データを保持するなどの分散印刷情報を受信する。
【００７７】
また、他機に関して操作するため、分散印刷した他機の名称や、ＩＰアドレス等も受信する。
【００７８】
そして、ステップＳ３０３で、受信した印刷データをメモリ３２４に保持していく。次に、ステップＳ３０４で、受信した印刷データについて１部プリントする。
【００７９】
そして、ステップＳ３０５で、処理中止キーが押下指示されたか否かを監視する。ここで、１部プリントされた印刷物をユーザが見たとき、意図した状態で印刷がされていない場合、ユーザが処理中止キーを押下指示し、ステップＳ３０６へ移り、残り部数、たとえば残り４部の印刷をキャンセルする。
【００８０】
そして、ステップＳ３０７で、分散印刷情報で得られた、分散印刷対象である他の機器１３へネットワーク処理部７を通じて、印刷を中止するよう送信して、処理をリターンする。
【００８１】
図９は、本発明に係る画像処理装置における第５のデータ処理手順の一例を示すフローチャートであり、本制御手順は、メモリ３２４に記憶されており、該手順をＣＰＵ３２３が実行することにより実現される。なお、Ｓ４０１〜Ｓ４０５は各ステップを示す。なお、本処理は、図１に示す画像処理装置１３（第２の画像処理装置）における制御部（第２の画像処理装置におけるコア部１０に相当）により実行される。
【００８２】
まず、ステップＳ４０１で、ホストコンピュータ１２から印刷データが受信されるまで待ち、該印刷データを受信したら、ステップＳ４０２で、分散印刷情報を受信する。その情報として、例えば操作部に表示するための印刷データファイル名、ホストコンピュータにログインするときに入力するユーザ名、自機で５部、他機で５部印刷し、自機では印刷せず、印刷データを保持するなどの分散印刷情報を受信する。また、他機に関する情報として、分散印刷した他機の名称や、ＩＰアドレス等も受信する。
【００８３】
そして、ステップＳ４０３で、受信した印刷データを、メモリ３２４に保持していく。次に、ステップＳ４０４で、他の機器からプリントキャンセル指示を受信したか否かを監視して、他の機器からプリントキャンセル指示を受信したら、ステップＳ４０５で、メモリ３２４に保持された印刷データの印刷をキャンセルして、処理をリターンする。
【００８４】
なお、図８，図９でそれぞれ第１，第２の画像処理装置の制御を説明したが、このときホストコンピュータ１２からは、第１の画像処理装置に対し、画像データの送信と、１部印刷してたとえば残り４部を保持するよう指示し、第２の画像処理装置に対し、画像データの送信と、印刷しないで、例えば５部、他の画像処理装置、すなわち第１の画像処理装置から印刷指示を受けたら印刷するように、指示しているものとする。
【００８５】
〔第４実施形態〕
図１０は、本発明に係る画像処理装置における第６のデータ処理手順の一例を示すフローチャートであり、本制御手順は、メモリ３２４に記憶されており、該手順をＣＰＵ３２３が実行することにより実現される。なお、Ｓ６０１〜Ｓ６０７は各ステップを示す。なお、本処理は、図１に示す画像処理装置９（第１の画像処理装置）における制御部（コア部１０に相当）により実行される。
【００８６】
まず、ステップＳ６０１で、ホストコンピュータ１２から印刷データが受信されるまで待ち、該印刷データを受信したら、ステップＳ６０２で、分散印刷情報を受信する。その情報として、例えば操作部に表示するための、印刷データファイル名、ホストコンピュータにログインするときに入力するユーザ名、自機で５部、他機で５部印刷し、自機では１部印刷した後、印刷データを保持するなどの分散印刷情報を受信する。
【００８７】
また、他機に関して操作するため、分散印刷した他機の名称や、ＩＰアドレス等も受信する。
【００８８】
そして、ステップＳ６０３で、受信した印刷データをメモリ３２４に保持していく。次に、ステップＳ６０４で、受信した印刷データについて１部プリントする。
【００８９】
次に、処理中止キー５５１が押下指示されたか否かを監視して、１部プリントされた印刷物をユーザが見たとき、意図した状態で印刷がされていない場合、ユーザが処理中止キー５５１を押下指示すると、ステップＳ６０６へ移り、残り部数、例えば残り４部の印刷をキャンセルする。
【００９０】
そして、ステップＳ６０７で、分散印刷情報で得られた、分散印刷対象である他の機器１３へネットワーク処理部７を通じて、印刷を中止するよう送信して、処理をリターンする。
【００９１】
図１１は、本発明に係る画像処理装置における第７のデータ処理手順の一例を示すフローチャートであり、本制御手順は、メモリ３２４に記憶されており、該手順をＣＰＵ３２３が実行することにより実現される。なお、Ｓ７０１〜Ｓ７０６は各ステップを示す。なお、本処理は、図１に示す画像処理装置１３（第２の画像処理装置）における制御部（第２の画像形成装置におけるコア部１０に相当）により実行される。
【００９２】
まず、ステップＳ７０１で、ホストコンピュータ１２から印刷データが受信されるまで待ち、該印刷データを受信したら、ステップＳ７０２で、分散印刷情報を受信する。その情報として、例えば操作部に表示するための印刷データファイル名、ホストコンピュータにログインするときに入力するユーザ名、自機で５部、他機で５部印刷し、自機では１部印刷し、印刷データを保持するなどの分散印刷情報を受信する。
【００９３】
また、他機に関する情報として、分散印刷した他機の名称や、ＩＰアドレス等も受信する。
【００９４】
また、ステップＳ７０３は、受信した印刷データをメモリ３２４に保持していく。そして、ステップＳ７０４で、受信した印刷データを１部プリントする。次に、ステップＳ７０５で、他の機器からプリントキャンセル指示を受信したかを監視して、他の機器から該プリントキャンセル指示を受信したら、ステップＳ７０６で、残り部数の印刷をキャンセルして、処理をリターンする。
【００９５】
なお、図１０、図１１でそれぞれ第１，第２の画像処理装置の制御を説明したが、このときホストコンピュータからは、第１の画像処理装置、および第２の画像処理装置に対し、画像データの送信と、１部印刷して、例えば残り４部を保持するよう指示しているものとする。
【００９６】
上述した本発明の第１〜第４実施形態においては、画像処理装置として複写機を例に上げたが、本発明はこれに限定されるものでなく、プリンタ装置であってもよい。また、印刷方式として電子写真方式を例に上げたが、本発明はこれに限定されるものではなく、インクジェット方式、熱転写方式、感熱方式、静電方式、放電破壊方式など他の印刷方式を用いることも可能である。
【００９７】
また、上記ホストコンピュータと画像処理装置は、公衆回線網で繋がれていなくても、たとえばインターネット回線で繋がれていてもよい。あるいはＬＡＮで繋がれていてもよい。その場合、通信コストを大きく下げることが可能となる。
【００９８】
上記各実施形態によれば、ホストコンピュータから複数の画像処理装置に分散して印刷する場合、一つの画像処理装置に対し１部印刷し、印刷データを保持しておくよう指令し、他の画像処理装置に対し印刷せずに印刷データを保持しておくよう指令することによって、１部印刷されたものが、印刷者が意図したとおりかを目視し、確認することができる。１部印刷されたものが、印刷者が意図した印刷物であった場合、その場にある画像処理装置の操作部から、その画像処理装置において残り部数の印刷を継続指示し、かつ、分散された他の画像処理装置に対してもその場から印刷の起動を指示することができ、意図した印刷物を確実に得ることができる。
【００９９】
また、ホストコンピュータから複数の画像処理装置に分散して印刷する場合、各画像処理装置に対し１部印刷し、印刷データを保持しておくよう指令することによって、それぞれの画像処理装置において１部印刷されたものが、印刷者が意図したとおりかを目視し、確認することができる。１部印刷されたものが、印刷者が意図した印刷物であった場合、それぞれの画像処理装置の操作部から、その画像処理装置において残り部数の印刷を継続指示することができ、意図した印刷物をより確実に得ることができる。
【０１００】
さらに、ホストコンピュータから複数の画像処理装置に分散して印刷する場合、一つの画像処理装置に対し１部印刷し、印刷データを保持しておくよう指令し、他の画像処理装置に対し印刷せずに印刷データを保持しておくよう指令することによって、１部印刷されたものが、印刷者が意図したとおりかを目視し、確認することができる。１部印刷されたものが、印刷者が意図していない印刷物であった場合、その場にある画像処理装置の操作部から、その画像処理装置に保持されている印刷ジョブをキャンセルし、かつ、分散された他の画像処理装置に対してもその場から印刷のキャンセルを指示することができる。従来のように、分散したすべての画像処理装置まで移動し、キャンセル操作をし、印刷データがホストコンピュータから送信され続けているなら、ホストコンピュータまで移動し、キャンセル操作をしなければならないといった労力が避けられ、無駄な紙やトナーの消費も極力避けられる。
【０１０１】
また、ホストコンピュータから複数の画像処理装置に分散して印刷する場合、各画像処理装置に対し１部印刷し、印刷データを保持しておくよう指令することによって、それぞれの画像処理装置において１部印刷されたものが、印刷者が意図したとおりかを目視し、確認することができる。１部印刷されたものが、印刷者が意図した印刷物でなかった場合、画像処理装置の操作部から、その画像処理装置において印刷をキャンセルすることができ、かつ、分散した他の画像処理装置に対しても、印刷をキャンセルすることができる。従来のように、その機器でのジョブのキャンセルや、分散したすべての画像処理装置まで移動し、キャンセル操作をし、印刷データがホストコンピュータから送信され続けているなら、ホストコンピュータまで移動し、キャンセル操作をしなければならないといった労力が避けられ、無駄な紙やトナーの消費も極力避けられる。
【０１０２】
さらに、第２の画像処理装置が複数でもよいため、印刷者が意図する分散印刷ジョブを確実に得ることができ、もしくは、確実にキャンセルすることができるとともに、分散する機器の数が多い分、印刷物を得るまでの時間が短縮できるという効果がある。
【０１０３】
また、画像データをビットマップに展開し、保持するため、操作部から残り部数の印刷の指示を受けてから印刷を開始するまでの時間を短縮することができるという効果がある。つまり、操作部から残り部数の印刷の指示を受けたとき、画像データのまま保持されていた場合、画像データからビットマップに展開する時間がその時点からかかってしまうため、その時間があらかじめ短縮できるという効果がある。
【０１０４】
以下、図１２に示すメモリマップを参照して本発明に係る画像処理装置で読み出し可能なデータ処理プログラムの構成について説明する。
【０１０５】
図１２は、本発明に係る画像処理装置で読み出し可能な各種データ処理プログラムを格納する記憶媒体のメモリマップを説明する図である。
【０１０６】
なお、特に図示しないが、記憶媒体に記憶されるプログラム群を管理する情報、例えばバージョン情報，作成者等も記憶され、かつ、プログラム読み出し側のＯＳ等に依存する情報、例えばプログラムを識別表示するアイコン等も記憶される場合もある。
【０１０７】
さらに、各種プログラムに従属するデータも上記ディレクトリに管理されている。また、各種プログラムをコンピュータにインストールするためのプログラムや、インストールするプログラムが圧縮されている場合に、解凍するプログラム等も記憶される場合もある。
【０１０８】
本実施形態における図５〜図１１に示す機能が外部からインストールされるプログラムによって、ホストコンピュータにより遂行されていてもよい。そして、その場合、ＣＤ−ＲＯＭやフラッシュメモリやＦＤ等の記憶媒体により、あるいはネットワークを介して外部の記憶媒体から、プログラムを含む情報群を出力装置に供給される場合でも本発明は適用されるものである。
【０１０９】
以上のように、前述した実施形態の機能を実現するソフトウエアのプログラムコードを記録した記憶媒体を、システムあるいは装置に供給し、そのシステムあるいは装置のコンピュータ（またはＣＰＵやＭＰＵ）が記憶媒体に格納されたプログラムコードを読出し実行することによっても、本発明の目的が達成されることは言うまでもない。
【０１１０】
この場合、記憶媒体から読み出されたプログラムコード自体が本発明の新規な機能を実現することになり、そのプログラムコードを記憶した記憶媒体は本発明を構成することになる。
【０１１１】
プログラムコードを供給するための記憶媒体としては、例えば、ハードディスク，光ディスク，光磁気ディスク，磁気テープ，不揮発性のメモリカード，ＲＯＭ，ＥＥＰＲＯＭ等を用いることができる。
【０１１２】
また、コンピュータが読み出したプログラムコードを実行することにより、前述した実施形態の機能が実現されるだけでなく、そのプログラムコードの指示に基づき、コンピュータ上で稼働しているＯＳ（オペレーティングシステム）等が実際の処理の一部または全部を行い、その処理によって前述した実施形態の機能が実現される場合も含まれることは言うまでもない。
【０１１３】
さらに、記憶媒体から読み出されたプログラムコードが、コンピュータに挿入された機能拡張ボードやコンピュータに接続された機能拡張ユニットに備わるメモリに書き込まれた後、そのプログラムコードの指示に基づき、その機能拡張ボードや機能拡張ユニットに備わるＣＰＵ等が実際の処理の一部または全部を行い、その処理によって前述した実施形態の機能が実現される場合も含まれることは言うまでもない。
【０１１４】
本発明は上記実施形態に限定されるものではなく、本発明の趣旨に基づき種々の変形（各実施形態の有機的な組合せを含む）が可能であり、それらを本発明の範囲から排除するものではない。
【０１１５】
本発明の様々な例と実施形態を示して説明したが、当業者であれば、本発明の趣旨と範囲は、本明細書内の特定の説明に限定されるのではなく、以下の実施態様も含まれることはいうまでもない。以下、その実施態様１〜２８について説明する。
【０１１６】
〔実施態様１〕
印刷命令または画像データとからなる印刷ジョブを第１の画像処理装置と第２の画像処理装置とに転送可能な情報処理装置であって、第１の画像処理装置と第２の画像処理装置とへ前記印刷ジョブを送信する画像データ送信手段（図１に示すホストコンピュータ１１内のプリンタドライバに相当）と、部数を示す情報を前記第１の画像処理装置及び前記第２の画像処理装置に送信する分散印刷情報送信手段（図１に示すホストコンピュータ１１内のプリンタドライバに相当）と、前記画像データ送信手段より送信された画像データを１部だけ印刷し、画像データを保持するよう前記第１の画像処理装置に指示する第１の指示手段（図１に示すホストコンピュータ１１内のプリンタドライバに相当）と、前記画像データ送信手段より送信された画像データを印刷することなく保持するよう前記第２の画像処理装置に指示する第２の指示手段（図１に示すホストコンピュータ１１内のプリンタドライバに相当）とを有することを特徴とする情報処理装置。
【０１１７】
〔実施態様２〕
情報処理装置から印刷命令または画像データとからなる印刷ジョブを受信可能な画像処理装置（図１に示す画像処理装置９に相当）であって、指定される部数を分散印刷するための分散印刷情報を受信する受信手段（図３に示すインタフェース部３２０に相当）と、前記情報処理装置から受信する前記印刷ジョブを保持する保持手段（図３に示すメモリ３２４に相当）と、前記保持手段に保持される前記印刷ジョブに基づいて印刷部により１部印刷させる第１の印刷制御手段（図３に示すＣＰＵ３２３に相当）と、前記第１の印刷制御手段による１部印刷後、前記保持手段に保持される前記印刷ジョブに基づいて残部数を前記印刷部より印刷させ、かつ他の画像処理装置に印刷開始を指示する第２の印刷制御手段（図３に示すＣＰＵ３２３に相当）とを有することを特徴とする画像処理装置。
【０１１８】
〔実施態様３〕
情報処理装置から印刷命令または画像データとからなる印刷ジョブを受信可能な画像処理装置（図１に示す画像処理装置９に相当）であって、指定される部数を分散印刷するための分散印刷情報を受信する第１の受信手段（図１に示すネットワーク処理部７）と、前記情報処理装置から受信する前記印刷ジョブを保持する保持手段（図１に示すメモリ３２４）と、他の画像処理装置から前記保持手段に保持されている前記印刷ジョブの印刷開始指示を受信する第２の受信手段（図１に示すネットワーク処理部７）と、前記第２の受信手段により受信される前記印刷開始指示に基づき、前記保持手段に保持されている前記印刷ジョブに基づいて指定される部数を印刷部より印刷させる第３の印刷制御手段（図１に示すＣＰＵ３２３）とを有することを特徴とする画像処理装置。
【０１１９】
〔実施態様４〕
印刷命令または画像データとからなる印刷ジョブを第１の画像処理装置と第２の画像処理装置とに転送可能な情報処理装置であって、第１の画像処理装置と第２の画像処理装置とへ前記印刷ジョブを送信する画像データ送信手段（図１に示すホストコンピュータ１１内のプリンタドライバに相当）と、指定される部数を分散印刷するための情報を送信する分散印刷情報送信手段（図１に示すホストコンピュータ１１内のプリンタドライバに相当）と、前記画像データ送信手段より送信された画像データを１部だけ印刷し、画像データを保持するよう前記第１，第２の画像処理装置に指示する指示手段（図１に示すホストコンピュータ１１内のプリンタドライバに相当）とを有することを特徴とする情報処理装置。
【０１２０】
〔実施態様５〕
情報処理装置から印刷命令または画像データとからなる印刷ジョブを受信可能な画像処理装置（図１に示す画像処理装置９に相当）であって、指定される部数を分散印刷するための分散印刷情報を受信する受信手段（図３に示すインタフェース部３２０に相当）と、前記情報処理装置から受信する前記印刷ジョブを保持する保持手段（図３に示すメモリ３２４に相当）と、前記保持手段に保持される前記印刷ジョブに基づいて印刷部により１部印刷させる第１の印刷制御手段（図３に示すＣＰＵ３２３に相当）と、前記第１の印刷制御手段による１部印刷後、操作部からの入力される印刷続行指示に従い、前記保持手段に保持される前記印刷ジョブに基づいて残部数を前記印刷部より印刷させる第４の印刷制御手段（図３に示すＣＰＵ３２３に相当）とを有することを特徴とする画像処理装置。
【０１２１】
〔実施態様６〕
情報処理装置から印刷命令または画像データとからなる印刷ジョブを受信可能な画像処理装置（図１に示す画像処理装置１３に相当）であって、指定される部数を分散印刷するための分散印刷情報を受信する受信手段（図１に示すネットワーク処理部７）と、前記情報処理装置から受信する前記印刷ジョブを保持する保持手段（図３に示すメモリ３２４）と、前記保持手段に保持される前記印刷ジョブに基づいて印刷部により１部印刷させる第１の印刷制御手段（図３に示すＣＰＵ３２３）と、前記第１の印刷制御手段による１部印刷後、操作部から入力される印刷取り消し指示に従い、前記保持手段に保持される前記印刷ジョブの印刷を取り消するとともに、他の画像処理装置に印刷取り消しを指示する第５の印刷制御手段（図３に示すＣＰＵ３２３）とを有することを特徴とする画像処理装置。
【０１２２】
〔実施態様７〕
情報処理装置から印刷命令または画像データとからなる印刷ジョブを受信可能な画像処理装置（図１に示す画像処理装置９に相当）であって、指定される部数を分散印刷するための分散印刷情報を受信する第１の受信手段（図３に示すインタフェース部３２０に相当）と、前記情報処理装置から受信する前記印刷ジョブを保持する保持手段（図３に示すメモリ３２４に相当）と、他の画像処理装置から前記保持手段に保持されている印刷ジョブの印刷取り消し指示を受信する第２の受信手段（図３に示すインタフェース部３２０に相当）と、前記第２の受信手段により受信される前記印刷取り消し指示に基づき、前記保持手段に保持されている前記印刷ジョブの印刷を取り消す第６の印刷制御手段（図３に示すＣＰＵ３２３に相当）とを有することを特徴とする画像処理装置。
【０１２３】
〔実施態様８〕
情報処理装置から印刷命令または画像データとからなる印刷ジョブを受信可能な画像処理装置（図１に示す画像処理装置１３に相当）であって、指定される部数を分散印刷するための分散印刷情報を受信する受信手段（図１に示すネットワーク処理部７）と、前記情報処理装置から受信する前記印刷ジョブを保持する保持手段（図３に示すメモリ３２４）と、前記保持手段に保持される前記印刷ジョブに基づいて印刷部により１部印刷させる第１の印刷制御手段（図３に示すＣＰＵ３２３）と、前記第１の印刷制御手段による１部印刷後、操作部より入力される取り消し指示に基づき、前記保持手段に保持される前記印刷ジョブの印刷を取り消す第７の印刷制御手段（図３に示すＣＰＵ３２３）とを有することを特徴とする画像処理装置。
【０１２４】
〔実施態様９〕
前記画像データ送信手段は、１つの第１の画像処理装置と複数の第２の画像処理装置へ印刷命令および画像データを送信することを特徴とする実施態様１または４記載の情報処理装置。
【０１２５】
〔実施態様１０〕
前記保持手段は、前記画像データに基づいてビットマップイメージに展開された印刷データを保持することを特徴とする実施態様２，３，５，６，７，８の何れかに記載の画像処理装置。
【０１２６】
〔実施態様１１〕
情報処理装置から印刷命令または画像データとからなる印刷ジョブを第１の画像処理装置と第２の画像処理装置とに転送可能な画像処理システムにおけるジョブ処理方法であって、第１および第２の画像処理装置とで指定される部数分を分散印刷を行うための分散印刷情報を受信する受信ステップ（図５に示すステップＳ１０２，図６に示すステップＳ２０２）と、前記情報処理装置から受信する印刷命令および画像データとからなる印刷ジョブを保持手段に保持する保持ステップ（図５に示すステップＳ１０３，図６に示すステップＳ２０３）と、前記保持手段に保持される画像データを印刷部により１部印刷させる第１の印刷制御ステップ（図５に示すステップＳ１０４）と、前記第１の印刷制御ステップによる１部印刷後、前記第１の画像処理装置の保持手段に保持される画像データを指定される残部数分前記印刷部より印刷させ、該残部数分の印刷後、前記分散印刷情報に基づき、他の画像処理装置に印刷開始を指示する第２の印刷制御ステップ（図５に示すステップＳ１０５〜Ｓ１０７）と、前記第１の画像処理装置から前記保持手段に保持されている印刷ジョブの印刷開始指示を受信する第２の受信ステップ（図６に示すステップＳ２０４）と、前記第２の受信ステップにより受信される前記印刷開始指示に基づき、前記第２の画像処理装置の保持手段に保持されている印刷ジョブを前記分散印刷情報で指定される部数分印刷部より印刷させる第３の印刷制御ステップ（図６に示すステップＳ２０５）とを有することを特徴とするジョブ処理方法。
【０１２７】
〔実施態様１２〕
情報処理装置から印刷命令または画像データとからなる印刷ジョブを第１の画像処理装置と第２の画像処理装置とに転送可能な画像処理システムにおけるジョブ処理方法であって、第１および第２の画像処理装置とで指定される部数分を分散印刷を行うための分散印刷情報を受信する受信ステップ（図７に示すステップＳ５０２）と、前記情報処理装置から受信する印刷命令または画像データとからなる印刷ジョブを第１または第２の画像処理装置の保持手段に保持する保持ステップ（図７に示すステップＳ５０３）と、前記保持手段に保持される画像データを印刷部により１部印刷させる第１の印刷制御ステップ（図７に示すステップＳ５０４）と、前記第１の印刷制御ステップによる１部印刷後、操作部より入力される印刷開始指示に基づき、前記第１または第２の画像処理装置の保持手段に保持される画像データを指定される残部数分前記印刷部より印刷させる第４の印刷制御ステップ（図７に示すステップＳ５０５）とを有することを特徴とするジョブ処理方法。
【０１２８】
〔実施態様１３〕
情報処理装置から印刷命令または画像データとからなる印刷ジョブを第１の画像処理装置と第２の画像処理装置とに転送可能な画像処理システムにおけるジョブ処理方法であって、第１および第２の画像処理装置とで指定される部数分を分散印刷を行うための分散印刷情報を受信する受信ステップ（図８に示すステップＳ３０２）と、前記情報処理装置から受信する印刷命令および画像データとからなる印刷ジョブを第１または第２の画像処理装置の保持手段に保持する保持ステップ（図８に示すステップＳ３０３）と、前記第１の画像処理装置の保持手段に保持される画像データを印刷部により１部印刷させる第１の印刷制御ステップ（図８に示すステップＳ３０４）と、前記第１の印刷制御ステップによる１部印刷後、第１または第２の画像処理装置の操作部より入力される印刷取り消し指示に基づき、前記第１または第２の画像処理装置の保持手段に保持される画像データの印刷を取り消す第７の印刷制御ステップ（図８に示すステップＳ３０４）とを有することを特徴とするジョブ処理方法。
【０１２９】
〔実施態様１４〕
情報処理装置から印刷命令または画像データとからなる印刷ジョブを第１の画像処理装置と第２の画像処理装置とに転送可能な画像処理システムにおけるジョブ処理方法であって、第１および第２の画像処理装置とで指定される部数分を分散印刷を行うための分散印刷情報を受信する受信ステップ（図１０に示すステップ（Ｓ６０２），（Ｓ７０２））と、前記情報処理装置から受信する印刷命令または画像データとからなる印刷ジョブを第１または第２の画像処理装置の保持手段に保持する保持ステップ（図１０，図１１に示すステップＳ６０３，Ｓ７０３）と、前記第１の画像処理装置の保持手段に保持される画像データを印刷部により１部印刷させる第１の印刷制御ステップ（図１０に示すステップＳ６０４）と、前記第１の印刷制御ステップによる１部印刷後、操作部より入力される印刷取り消し指示に基づき、前記第１の画像処理装置の保持手段に保持される画像データの印刷を取り消すとともに、第２の画像処理装置の保持手段に保持される画像データの印刷取り消しを指示する第５の印刷制御ステップ（図１０に示すステップＳ６０５〜Ｓ６０７）と、前記第５の印刷制御ステップによる印刷取り消しの指示に基づき、第２の画像処理装置の保持手段に保持される画像データの印刷を取り消す第６の印刷制御ステップ（図１１に示すステップＳ７０５，Ｓ７０６）とを有することを特徴とするジョブ処理方法。
【０１３０】
〔実施態様１５〕
実施態様１１〜１４のいずれかに記載のジョブ処理方法を実現するプログラムを記憶したことを特徴とするコンピュータが読み取り可能な記憶媒体。
【０１３１】
〔実施態様１６〕
実施態様１１〜１４のいずれかに記載のジョブ処理方法を実現することを特徴とするプログラム。
【０１３２】
〔実施態様１７〕
印刷命令または画像データとからなる印刷ジョブを第１の画像処理装置と第２の画像処理装置とに転送可能な情報処理装置におけるジョブ処理方法であって、第１の画像処理装置と第２の画像処理装置とへ前記印刷ジョブを送信する画像データ送信ステップと、部数を示す情報を前記第１の画像処理装置及び前記第２の画像処理装置に送信する分散印刷情報送信ステップと、前記画像データ送信ステップより送信された画像データを１部だけ印刷し、画像データを保持するよう前記第１の画像処理装置に指示する第１の指示ステップと、前記画像データ送信ステップより送信された画像データを印刷することなく保持するよう前記第２の画像処理装置に指示する第２の指示ステップとを有することを特徴とするジョブ処理方法。
【０１３３】
〔実施態様１８〕
情報処理装置から印刷命令または画像データとからなる印刷ジョブを受信可能な画像処理装置におけるジョブ処理方法であって、指定される部数を分散印刷するための分散印刷情報を受信する受信ステップと、前記情報処理装置から受信する前記印刷ジョブを保持手段に保持させる保持ステップと、前記保持手段に保持される前記印刷ジョブに基づいて印刷部により１部印刷させる第１の印刷制御ステップと、前記第１の印刷制御ステップによる１部印刷後、前記保持手段に保持される前記印刷ジョブに基づいて残部数を前記印刷部より印刷させ、かつ他の画像処理装置に印刷開始を指示する第２の印刷制御ステップとを有することを特徴とするジョブ処理方法。
【０１３４】
〔実施態様１９〕
情報処理装置から印刷命令または画像データとからなる印刷ジョブを受信可能な画像処理装置におけるジョブ処理方法であって、指定される部数を分散印刷するための分散印刷情報を受信する第１の受信ステップと、前記情報処理装置から受信する前記印刷ジョブを保持手段に保持させる保持ステップと、他の画像処理装置から前記保持手段に保持されている前記印刷ジョブの印刷開始指示を受信する第２の受信ステップと、前記第２の受信ステップにより受信される前記印刷開始指示に基づき、前記保持手段に保持されている前記印刷ジョブに基づいて指定される部数を印刷部より印刷させる印刷制御ステップとを有することを特徴とするジョブ処理方法。
【０１３５】
〔実施態様２０〕
印刷命令または画像データとからなる印刷ジョブを第１の画像処理装置と第２の画像処理装置とに転送可能な情報処理装置におけるジョブ処理方法であって、第１の画像処理装置と第２の画像処理装置とへ前記印刷ジョブを送信する画像データ送信ステップと、指定される部数を分散印刷するための情報を送信する分散印刷情報送信ステップと、前記画像データ送信手段より送信された画像データを１部だけ印刷し、画像データを保持するよう前記第１，第２の画像処理装置に指示する指示ステップとを有することを特徴とするジョブ処理方法。
【０１３６】
〔実施態様２１〕
情報処理装置から印刷命令または画像データとからなる印刷ジョブを受信可能な画像処理装置におけるジョブ処理方法であって、指定される部数を分散印刷するための分散印刷情報を受信する受信ステップと、前記情報処理装置から受信する前記印刷ジョブを保持手段に保持させる保持ステップと、前記保持手段に保持される前記印刷ジョブに基づいて印刷部により１部印刷させる第１の印刷制御ステップと、前記第１の印刷制御ステップによる１部印刷後、操作部から入力される印刷続行指示に従い、前記保持手段に保持される前記印刷ジョブに基づいて残部数を前記印刷部より印刷させる第２の印刷制御ステップとを有することを特徴とするジョブ処理方法。
【０１３７】
〔実施態様２２〕
情報処理装置から印刷命令または画像データとからなる印刷ジョブを受信可能な画像処理装置におけるジョブ処理方法であって、指定される部数を分散印刷するための分散印刷情報を受信する受信ステップと、前記情報処理装置から受信する前記印刷ジョブを保持手段に保持させる保持ステップと、前記保持手段に保持される前記印刷ジョブに基づいて印刷部により１部印刷させる第１の印刷制御ステップと、前記第１の印刷制御ステップによる１部印刷後、操作部から入力される印刷取り消し指示に従い、前記保持手段に保持される前記印刷ジョブの印刷を取り消すとともに、他の画像処理装置に印刷取り消しを指示する第２の印刷制御ステップとを有することを特徴とするジョブ処理方法。
【０１３８】
〔実施態様２３〕
情報処理装置から印刷命令または画像データとからなる印刷ジョブを受信可能な画像処理装置におけるジョブ処理方法であって、指定される部数を分散印刷するための分散印刷情報を受信する第１の受信ステップと、前記情報処理装置から受信する前記印刷ジョブを保持手段に保持させる保持ステップと、他の画像処理装置から前記保持手段に保持されている印刷ジョブの印刷取り消し指示を受信する第２の受信ステップと、前記第２の受信ステップにより受信される前記印刷取り消し指示に基づき、前記保持手段に保持されている前記印刷ジョブの印刷を取り消す印刷制御ステップとを有することを特徴とするジョブ処理方法。
【０１３９】
〔実施態様２４〕
情報処理装置から印刷命令または画像データとからなる印刷ジョブを受信可能な画像処理装置におけるジョブ処理方法であって、指定される部数を分散印刷するための分散印刷情報を受信する受信ステップと、前記情報処理装置から受信する前記印刷ジョブを保持手段に保持させる保持ステップと、前記保持手段に保持される前記印刷ジョブに基づいて印刷部により１部印刷させる第１の印刷制御ステップと、前記第１の印刷制御ステップによる１部印刷後、操作部より入力される取り消し指示に基づき、前記保持手段に保持される前記印刷ジョブの印刷を取り消す第２の印刷制御ステップとを有することを特徴とするジョブ処理方法。
【０１４０】
〔実施態様２５〕
前記画像データ送信ステップは、１つの第１の画像処理装置と複数の第２の画像処理装置とへ印刷命令および画像データを送信することを特徴とする実施態様２１または２４記載のジョブ処理方法。
【０１４１】
〔実施態様２６〕
前記保持手段は、前記画像データに基づいてビットマップイメージに展開された印刷データを保持することを特徴とする実施態様１８，１９，２１，２２，２３，２４の何れかに記載の画像処理装置。
【０１４２】
〔実施態様２７〕
実施態様１７〜２６のいずれかに記載のジョブ処理方法を実現するプログラムを記憶したことを特徴とするコンピュータが読み取り可能な記憶媒体。
【０１４３】
〔実施態様２８〕
実施態様１７〜２６のいずれかに記載のジョブ処理方法を実現することを特徴とするプログラム。
【０１４４】
上記各実施態様によれば、情報処理装置から印刷命令または画像データとからなる印刷ジョブを第１の画像処理装置と第２の画像処理装置とに転送可能な画像処理システムにおいて、第１および第２の画像処理装置とで指定される部数分を分散印刷を行うための分散印刷情報を受信したら、前記情報処理装置から受信する印刷命令または画像データとからなる印刷ジョブを保持手段に保持しておき、保持手段に保持される画像データを印刷部により１部印刷させた後、第１の画像処理装置の保持手段に保持される画像データを指定される残部数分前記印刷部より印刷させ、該残部数分の印刷後、前記分散印刷情報に基づき、他の画像処理装置に印刷開始を指示して、該受信される前記印刷開始指示に基づき、第２の画像処理装置の保持手段に保持されている印刷ジョブを前記分散印刷情報で指定される部数分印刷部より印刷させるので、１部印刷されたものが、印刷者が意図したとおりかを目視確認して、１部印刷されたものが、印刷者が意図した印刷物であった場合、その場にある画像処理装置の操作部から、その画像処理装置において残り部数の印刷を継続指示し、かつ、分散された他の画像処理装置に対してもその場から印刷の起動を指示することができ、意図した印刷物を確実に得ることができ、かつ利便性に優れた画像処理環境を自在に整備することができる。
【０１４５】
また、情報処理装置から印刷命令または画像データとからなる印刷ジョブを第１の画像処理装置と第２の画像処理装置とに転送可能な画像処理システムにおいて、第１および第２の画像処理装置とで指定される部数分を分散印刷を行うための分散印刷情報を受信し、該受信する印刷命令または画像データとからなる印刷ジョブを第１または第２の画像処理装置の保持手段に保持した状態で、それぞれ保持手段に保持される画像データを印刷部により１部印刷後、操作部より入力される印刷開始指示に基づき、前記第１または第２の画像処理装置の保持手段に保持される画像データを指定される残部数分前記印刷部より印刷させるので、印刷者が意図した印刷物であった場合、それぞれの画像処理装置の操作部から、その画像処理装置において残り部数の印刷を継続指示することででき、意図した印刷物をより確実に得ることができ、かつ利便性に優れた画像処理環境を自在に整備することができる。
【０１４６】
さらに、情報処理装置から印刷命令または画像データとからなる印刷ジョブを第１の画像処理装置と第２の画像処理装置とに転送可能な画像処理システムにおいて、第１および第２の画像処理装置とで指定される部数分、分散印刷を行うための分散印刷情報を受信し、該受信する印刷命令または画像データとからなる印刷ジョブを第１または第２の画像処理装置の保持手段に保持した状態で、第１の画像処理装置の保持手段に保持される画像データを印刷部により１部印刷させた後、第１または第２の画像処理装置の操作部より入力される印刷取り消し指示に基づき、第１または第２の画像処理装置の保持手段に保持される画像データの印刷を取り消すので、１部印刷されたものが、印刷者が意図していない印刷物であった場合、その場にある画像処理装置の操作部から、その画像処理装置に保持されている印刷ジョブをキャンセルし、かつ、分散された他の画像処理装置に対してもその場から印刷のキャンセルを指示して、従来のように、分散したすべての画像処理装置まで移動し、キャンセル操作をし、印刷データがホストコンピュータから送信され続けているなら、ホストコンピュータまで移動し、キャンセル操作をしなければならないといった労力が避けられ、無駄な紙やトナーの消費も極力避けられ、かつ利便性に優れた画像処理環境を自在に整備することができる。
【０１４７】
また、情報処理装置から印刷命令または画像データとからなる印刷ジョブを第１の画像処理装置と第２の画像処理装置とに転送可能な画像処理システムにおいて、第１および第２の画像処理装置とで指定される部数分を分散印刷を行うための分散印刷情報を受信し、該受信する印刷命令および画像データとからなる印刷ジョブを第１または第２の画像処理装置の保持手段に保持した状態で、第１の画像処理装置の保持手段に保持される画像データを印刷部により１部印刷させた後、第１の画像処理装置の操作部より入力される印刷取り消し指示に基づき、第１または第２の画像処理装置の保持手段に保持される画像データの印刷を取り消すので、１部印刷されたものが、印刷者が意図していない印刷物であった場合、その場にある画像処理装置の操作部から、その画像処理装置に保持されている印刷ジョブをキャンセルし、かつ、分散された他の画像処理装置に対してもその場から印刷のキャンセルを指示して、従来のように、分散したすべての画像処理装置まで移動し、キャンセル操作をし、印刷データがホストコンピュータから送信され続けているなら、ホストコンピュータまで移動し、キャンセル操作をしなければならないといった労力が避けられ、無駄な紙やトナーの消費も極力避けられ、かつ利便性に優れた画像処理環境を自在に整備することができる等の効果を奏する。
【０１４８】
【発明の効果】
以上説明したように、本発明によれば、印刷命令または画像データとからなる印刷ジョブを処理するジョブ処理方法において、第１の画像処理装置と第２の画像処理装置のそれぞれにおいて前記印刷ジョブを保持し、第１の画像処理装置において、印刷ジョブに基づいて少なくとも１部を印刷させる際に、少なくとも１部が印刷された後、第２の画像処理装置に印刷指示を送信して、少なくとも１部が印刷された後、第１の画像処理装置において、前記印刷ジョブに基づいて残り部数を印刷させ、第２の画像処理装置において、前記印刷ジョブに基づいて指定された部数を印刷させることにより、１部印刷されたものが、印刷者が意図したとおりかを目視確認して、１部印刷されたものが、印刷者が意図した印刷物であった場合、その場にある画像処理装置の操作部から、その画像処理装置において残り部数の印刷を継続指示し、かつ、分散された他の画像処理装置に対してもその場から印刷の起動を指示することができ、意図した印刷物を確実に得ることができ、かつ利便性に優れた画像処理環境を自在に整備することができるという効果を奏する。
【図面の簡単な説明】
【図１】本発明に係る画像処理装置を適用可能な画像処理システムの一例を説明するブロック図である。
【図２】図１に示したプリンタ部の構成を説明する概略断面図である。
【図３】図１に示したコア部の構成を示すブロック図である。
【図４】図１に示した操作部の画面構成例を示す平面図である。
【図５】本発明に係る画像処理装置における第１のデータ処理手順の一例を示すフローチャートである。
【図６】本発明に係る画像処理装置における第２のデータ処理手順の一例を示すフローチャートである。
【図７】本発明に係る画像処理装置における第３のデータ処理手順の一例を示すフローチャートである。
【図８】本発明に係る画像処理装置における第４のデータ処理手順の一例を示すフローチャートである。
【図９】本発明に係る画像処理装置における第５のデータ処理手順の一例を示すフローチャートである。
【図１０】本発明に係る画像処理装置における第６のデータ処理手順の一例を示すフローチャートである。
【図１１】本発明に係る画像処理装置における第７のデータ処理手順の一例を示すフローチャートである。
【図１２】本発明に係る画像処理装置で読み出し可能な各種データ処理プログラムを格納する記憶媒体のメモリマップを説明する図である。
【符号の説明】
１  リーダ部
２  プリンタ部
１０  コア部
１１  ＰＣ／ＷＳ
１６  ネットワーク
３２３  ＣＰＵ
３２４  メモリ
【図１】
2004157832.tif 000003
【図２】
2004157832.tif 000004
【図３】
2004157832.tif 000005
【図４】
2004157832.tif 000006
【図５】
2004157832.tif 000007
【図６】
2004157832.tif 000008
【図７】
2004157832.tif 000009
【図８】
2004157832.tif 000010
【図９】
2004157832.tif 000011
【図１０】
2004157832.tif 000012
【図１１】
2004157832.tif 000013
【図１２】
2004157832.tif 000014